(57)【要約】【課題】ＩＤチェックのみの一次認証と大型顔写真を含む認証フルデータによる二次認証を並用し、入退場者が多い場合も少ない場合も認証処理を臨機応変に捌いてゲートを通過させることが可能なカードリーダ無線端末を用いた入退場管理システムを提供する。【解決手段】無線端末１０はＩＣカードを読み込み、無線ＬＡＮ-ＡＰ２０、ＬＡＮ４０を経由して入退管理サーバ３０に読み込んだＩＣカード識別情報を基に個人情報の照会を行なう。この照会によりＩＣカード識別情報に対応する個人情報があるか否かの結果を入退管理サーバ３０に戻す。そして入退管理サーバ３０は、コントローラ５０に無線ＬＡＮ-ＡＰ２０、ＬＡＮ／シリアルコンバータ６１、シリアル／ＬＯＮコンバータ６２、固定据付型ＩＣカードリーダ６３経由でコントローラ５０が固定カードリーダ６３に対するのと同じプロトコルでもって当該ＩＣカードについての入退場要求を差し向ける。【選択図】図１
2010163798.tif 000002
【特許請求の範囲】
【請求項１】
非接触ＩＣカードの情報を非接触で読み取るカードリーダ無線端末と構内への入退場を管理する入退管理サーバとからなる入退場管理システムであって、
オペレータが所持する前記カードリーダ無線端末を無線ＬＡＮアクセスポイントを介してＬＡＮに接続させると共に該ＬＡＮを介して入退管理サーバに接続されるよう構成し、
前記入退管理サーバは入退場者の個人情報をデータベースで管理すると共に前記個人情報に紐付く顔写真情報を保持する写真ファイルを管理し、
前記カードリーダ無線端末が前記非接触ＩＣカードの情報を読み取ったときには、該情報を前記入退管理サーバに送信し、該入退管理サーバは、前記非接触ＩＣカードの一次認証を行なうために、前記情報内のＩＣカード識別情報について固定式カードリーダによるＩＣカードの認証を行なうコントローラに前記ＩＣカード識別情報の登録の有無に基づく一次認証を行なわせ、該一次認証結果を前記カードリーダ無線端末に返信して入退場の可否を表示させ、次いで前記個人情報についての二次認証を行なうために、前記カードリーダ無線端末で読み取った前記個人情報にかかる項目を前記入退管理サーバが前記入退場データベースを用いて二次認証を行ない、前記カードリーダ無線端末に二次認証したカード個人情報及び顔写真を前記二次認証結果として返信して表示させることを特徴とするカードリーダ無線端末を用いた入退場管理システム。
【請求項２】
前記カードリーダ無線端末の起動時に、前記オペレータが所持する非接触ＩＣカードの情報を読み取り、前記カードリーダ無線端末を操作するオペレータが権限を有する者であることを認証することを特徴とする請求項１に記載のカードリーダ無線端末を用いた入退場管理システム。
【請求項３】
前記カードリーダ無線端末が権限を有するオペレータが認証されたとき、前記カードリーダ無線端末にメニュー画面を表示し、該メニュー画面に表示される設定ボタンを押下して、前記カードリーダ無線端末を介して行なう入退場業務の環境設定を行なうことを特徴とする請求項２に記載のカードリーダ無線端末を用いた入退場管理システム。
【請求項４】
前記環境設定は、前記オペレータが位置する入退場ゲート名、前記カードリーダ無線端末への詳細表示の有無、或いは、入場または退場のいずれへの着任、を設定可能としたことを特徴とする請求項３に記載のカードリーダ無線端末を用いた入退場管理システム。
【請求項５】
前記環境設定で前記カードリーダ無線端末に詳細表示なしを設定した場合には、前記カードリーダ無線端末に前記ＩＣカード識別情報による一次認証結果のみを表示して入退場させることを特徴とする請求項４に記載のカードリーダ無線端末を用いた入退場管理システム。
【請求項６】
前記環境設定で前記カードリーダ無線端末に詳細表示ありを設定した場合には、前記カードリーダ無線端末に前記入退管理サーバから顔写真が個人情報と共に返信され、該顔写真について前記オペレータが前記入退管理サーバに拡大を要求した場合には、前記入退管理サーバは前記写真ファイルを検索して前記カードリーダ無線端末に拡大写真データを送付することを特徴とする請求項４に記載のカードリーダ無線端末を用いた入退場管理システム。
【請求項７】
入退場時に前記非接触ＩＣカードを所持しない旨の申出があったときは、前記個人情報にかかる所定項目を前記カードリーダ無線端末からデータ入力して前記入退管理サーバに送信し、該入退管理サーバは前記個人情報にかかる所定項目について前記コントローラに当該申出に基づく個人情報の検索を行なわせ、一致するものがあれば入退場履歴情報を生成させるとともに前記申出に基づく入退場承認／不承認を前記コントローラから前記入退管理サーバ経由で前記カードリーダ無線端末の画面に表示させることを特徴とする請求項１に記載のカードリーダ無線端末を用いた入退場管理システム。
【請求項８】
前記カードリーダ無線端末の画面に表示された内容が前記申出に基づく入退場を承認するものであった場合には、前記オペレータが前記カードリーダ無線端末の入退場ボタンを押して強制入退場させることを特徴とする請求項７に記載のカードリーダ無線端末を用いた入退場管理システム。
【発明の詳細な説明】
【技術分野】
【０００１】
本発明は、非接触ＩＣカードを非接触で読み取るカードリーダ無線端末を用いて入退場管理を行なう入退場管理システムに関する。
【背景技術】
【０００２】
カードリーダ無線端末を用いて入退室管理を行う従来の方式は、非接触ＩＣカードなどを非接触で読み取るカードリーダ無線端末に認証データを保存しておき、非接触ＩＣカードを認証する方式が採用されているのが普通である。
【０００３】
非接触ＩＣカードを認証する場合、非接触ＩＣカードに登録されている個人を識別するための識別情報が正当なものであるか否かを認証する。そのために、下記特許文献１に示される技術は、リーダライタ装置が非接触ＩＣカードと無線通信して非接触ＩＣカードに記憶されている識別情報を読み取り、ＬＡＮに接続されたカード認証装置で読み取った識別情報が正当か否かを判定することを開示している。
【０００４】
また下記特許文献２に示される技術は、本人を特定するための顔画像を無線端末装置に表示させるものにおいて、表示された顔画像を適宜、拡大或いは解像度調整して表示し、本人を特定するための視認性を向上させることを開示している。
【先行技術文献】
【特許文献】
【０００５】
【特許文献１】特開2001-167306号公報
【特許文献２】特開2002-024445号公報
【発明の概要】
【発明が解決しようとする課題】
【０００６】
上記した従来の方式のうち、非接触ＩＣカードなどを非接触で読み取るカードリーダ無線端末に認証データを保存しておくのでは、カードリーダ無線端末のメモリ容量が大きくする必要があり、入退場者が多い場合には対応しきれないという課題がある。
【０００７】
上記した特許文献１に示される従来の方式では、非接触ＩＣカードに記憶されている識別情報を読み取り、ＬＡＮに接続されたカード認証装置で読み取った識別情報が正当か否かを判定するので、入退場管理をするカード認証装置に大きな負荷が掛かり、入退場者が多い場合にはこの方式では対応しきれないという課題がある。
【０００８】
また上記した特許文献２に示される従来の方式は、顔写真による本人確認を行なうもので、適宜拡大した写真や解像度を調整可能とするもので、入退場者が多い場合にはこの方式も対応しきれないという課題がある。
【０００９】
そこで本発明は、ＩＤチェックのみの一次認証と大型顔写真を含む認証フルデータによる二次認証を並用し、入退場者が多い場合も少ない場合も認証処理を臨機応変に捌いてゲートを通過させることが可能なカードリーダ無線端末を用いた入退場管理システムを提供することを目的とする。
【課題を解決するための手段】
【００１０】
上記課題を解決するために本発明は、非接触ＩＣカードの情報を非接触で読み取るカードリーダ無線端末と構内への入退場を管理する入退管理サーバとからなる入退場管理システムであって、オペレータが所持する前記カードリーダ無線端末を無線ＬＡＮアクセスポイントを介してＬＡＮに接続させると共に該ＬＡＮを介して入退管理サーバに接続されるよう構成し、前記入退管理サーバは入退場者の個人情報をデータベースで管理すると共に前記個人情報に紐付く顔写真情報を保持する写真ファイルを管理し、前記カードリーダ無線端末が前記非接触ＩＣカードの情報を読み取ったときには、該情報を前記入退管理サーバに送信し、該入退管理サーバは、前記非接触ＩＣカードの一次認証を行なうために、前記情報内のＩＣカード識別情報について固定式カードリーダによるＩＣカードの認証を行なうコントローラに前記ＩＣカード識別情報の登録の有無に基づく一次認証を行なわせ、該一次認証結果を前記カードリーダ無線端末に返信して入退場の可否を表示させ、次いで前記個人情報についての二次認証を行なうために、前記カードリーダ無線端末で読み取った前記個人情報にかかる項目を前記入退管理サーバが前記入退場データベースを用いて二次認証を行ない、前記カードリーダ無線端末に二次認証したカード個人情報及び顔写真を前記二次認証結果として返信して表示させることを特徴とする。
【発明の効果】
【００１１】
本発明によれば、ＩＤチェックのみの一次認証と大型顔写真を含む認証フルデータによる二次認証を並用するので、入退場における認証処理を臨機応変に捌いてゲートを通過させることができ、また認証フルデータを端末に表示させることで確実に入退場者をチェックすることができる。
【００１２】
また、カードリーダ無線端末に個人情報を残さないようにするので、カードリーダ無線端末のメモリ容量を少なくすることができ、かつ個人情報の取扱に関してセキュリティを向上させることができる。
【００１３】
さらに、カードリーダ無線端末専用の入退管理システムとせずに固定式カードリーダと協働するシステム構成としているので、入退場データベースを含めシステム構築のコストを低減することが可能となる。
【図面の簡単な説明】
【００１４】
【図１】本発明の実施形態に係る入退場管理システムの構成を示すブロック図である。
【図２】本発明の実施形態に係るカードリーダ無線端末の構造を示す図である。
【図３】本発明の実施形態に係るカードリーダ無線端末における画面遷移の様子を説明する図である。
【図４】本発明の実施形態に係るカードリーダ無線端末におけるメニュー画面例を示す図である。
【図５】本発明の実施形態に係る入退場（詳細表示なし）の処理概要を説明するシーケンスブロック図である。
【図６】本発明の実施形態に係る入退場（詳細表示あり）の処理概要を説明するシーケンスブロック図である。
【図７】図６に示した入退場（詳細表示あり）の処理時のカードリーダ無線端末における画面例を示す図である。
【図８】本発明の実施形態に係る拡大写真表示処理の概要を説明するシーケンスブロック図である。
【図９】本発明の実施形態に係る入退場指示画面例を示す図である。
【図１０】図３に示した検索処理時のカードリーダ無線端末における画面例を示す図である。
【図１１】本発明の実施形態に係る強制入退場処理の概要を説明するシーケンスブロック図である。
【図１２】本発明の実施形態に係るオペレータ情報、個人情報、入退場履歴情報の各データテーブル例を示す図である。
【発明を実施するための形態】
【００１５】
以下、本発明の実施の形態について、詳細に説明する。
図１は、本発明の実施形態に係る入退場管理システムの構成を示すブロック図であり、本発明の実施形態においてはカードリーダ無線端末(特に断らない限り、以下では単に“無線端末”と称する)を用いることで非接触ＩＣカードなどに記憶されているＩＣカード識別情報をキーにして入退場管理システムを構築するものであり、固定式のカードリーダ装置による非接触ＩＣカード認証による入退場管理システムと連携してシステム構築を可能としたものである。
【００１６】
図１においてカードリーダ無線端末を用いた入退場管理システムを稼動させるためには、無線端末１０(図１では３つの無線端末１１〜１３を例示)を所持したオペレータ(取扱者)（図示せず）がまずオペレータ自身が所持する非接触ＩＣカード（図示せず）を無線端末１０の背面（図示せず）に設けられた非接触ＩＣカードリーダ（図示せず）にタッチ又は近づけることで、ログイン要求を行なう。ログイン要求では権限もったオペレータかどうかを認証するために、非接触ＩＣカードリーダ（図示せず）で読み取ったＩＣカード識別情報を無線端末１０から無線ＬＡＮ-ＡＰ(アクセスポイント)２０（図１では２つの無線ＬＡＮ-ＡＰ２１，２２を例示）経由で入退管理サーバ３０の無線端末認証サービスデータベース(以下、データベースを“ＤＢ”と略記する)３１に照会し、ＩＣカード識別情報により権限をもったオペレータであることの認証を行う。無線端末認証サービスＤＢ３１に格納されているオペレータ情報に関するデータ構造は、図１２（ａ）に示されるように、ユーザＩＤ、ＩＣカード識別情報、氏名などによって構成される。
【００１７】
そしてオペレータ（図示せず）は無線端末１０を持って入退場口、たとえば正門、における入場確認又は退場確認のための業務に就く。いま、車両を入構又は出構させるために運転者や同乗者等が所持する非接触ＩＣカード（図示せず）を無線端末１０の背面（図示せず）に設けられた非接触ＩＣカードリーダ（図示せず）にタッチ又は近づけると、無線端末１０はＩＣカード（図示せず）を読み込み、無線ＬＡＮ-ＡＰ２０、ＬＡＮ４０を経由して入退管理サーバ３０に読み込んだＩＣカード識別情報を基に個人情報の照会を行なう。個人情報に関するデータ構造は、図１２（ｂ）に示されるように、ユーザＩＤ、ＩＣカード識別情報、氏名、・・、写真ファイル名などによって構成される。この照会によりＩＣカード識別情報に対応する個人情報があるか否かの結果を入退管理サーバ３０に戻す。そして入退管理サーバ３０は、シリアルＩ／Ｆ６０（後述する）に入退場要求を送信する。つまり、コントローラ５０に無線ＬＡＮ-ＡＰ２０、ＬＡＮ／シリアルコンバータ６１、シリアル／ＬＯＮコンバータ６２、固定据付型ＩＣカードリーダ６３経由でコントローラ５０が固定カードリーダ６３に対するのと同じプロトコルでもって当該非接触ＩＣカード（図示せず）についての入退場要求を差し向けるようにする。ここで、ＬＡＮ／シリアルコンバータ６１、シリアル／ＬＯＮコンバータ６２、固定据付型ＩＣカードリーダ６３、ＣＰＥＶ(ポリエチレン絶縁ビニルシースケーブル)でコントローラに接続された電気錠６４、コントローラ５０はシリアルインタフェース（Ｉ／Ｆ）６０を構成するものである。つまり、RS232CやＬＯＮ(Local Operating Networks)(なお、ＬＯＮは米国Echelon社の登録商標である)はシリアル形式のデータを取り扱っているためにこのように呼んでいるものである。
【００１８】
ところで、固定カードリーダ６３で入退場者が所持する非接触ＩＣカードを扱うケースでは、入退場者が所持する非接触ＩＣカードを非接触ＩＣカードリーダ６３にタッチ又は近づけることで、ＩＣカード識別情報を読み込んでＬＯＮを用いたプロトコルによりコントローラ５０に照会する。コントローラ５０は、入退管理サーバ３０に付属する入退場ＤＢ(３２)のレプリカをコントローラ５０内に保持しており、コントローラ５０は、入退場ＤＢレプリカ５１を参照することにより直ちに、カード認証を行なうことが可能である。カード認証結果は、非接触ＩＣカードリーダ６３に設置されるカード認証結果通知器（図示せず）によりＬＥＤ（緑ならＯＫ，赤ならＮＧ）やブザー（警報音の有無）にて通報するとともに、カード認証ＯＫなら直ちに併設する電気錠６４を開錠する。ＮＧならＩＣカード使用による入退場を断る。そして必要なら所定部署に案内して入構又は出構のための手続を行なわせる。
【００１９】
このようにして入退管理サーバ３０は、コントローラを含むシリアルＩ／Ｆ６０に対して、入退場要求（入門又は出門要求）を送信する。この操作は、上述した固定カードリーダで入退場者が所持する非接触ＩＣカードのカード認証を行なうケースと同じインタフェースにしてカード認証の一元化を図っている。コントローラ５０は、入退場ＤＢレプリカ５１を参照してカード認証を行ない、カード認証結果を、ＬＯＮ／シリアルコンバータ６２、シリアル／ＬＡＮコンバータ６１、無線ＬＡＮ-ＡＰ２０経由で固定カードリーダ６３に対するのと同じプロトコルでもって、無線端末１０に返送する。その一方、カード認証ＯＫなら直ちに電気錠６４を開錠する。ＮＧならＩＣカード使用による入退場を断る。そして、コントローラ５０は、コントローラ５０内の入退場ＤＢレプリカ５１に入出門結果を入退場履歴として上述のＩＣカード識別情報に紐付けて格納する。これについては後述する。
【００２０】
その一方、無線端末１０に表示する個人情報（名前、所属、所定サイズの顔写真等）を入退管理サーバ３０に付属する入退場管理ＤＢ３２からＩＣカード識別情報をキーにして検索を実行して取得し、カード認証結果とあわせて、個人情報を無線端末１０に表示する。これについては後で詳しく説明する。なお、顔写真について拡大顔写真を必要とする場合には、オペレータが要求ボタン(写真表示ボタン)を押すことにより入退管理サーバ３０に付属する写真ファイル３３から抽出し、所定の大きさの顔写真データに変換して無線端末１０の所定の表示位置（図２参照）に表示する。これについても後で詳しく説明する。
【００２１】
上記では車両の運転者などの入場確認又は退場確認のために正門配置した無線端末１１を例にして説明したが、裏門配置した無線端末１３や、社員専用門、又は臨時開設門などに適宜無線端末を配置して対応することができる。社員専用門には、固定カードリーダを配置して入退場管理を行なうようにしているが、これと並用することができる。また、無線端末１０は本来、入退場のいずれにも用いることができるが、入場専用に無線端末１１、退場専用に無線端末１２を用いるようにすることができる。なお無線ＬＡＮ-ＡＰ２０は、無線ＬＡＮとして標準化されているIEEE802.11b/gを装備している。
【００２２】
図２は、本発明の実施形態に係るカードリーダ無線端末の構造を示す正面図である。図２において、無線端末１０は、オペレータが可搬できる大きさに構成されており、正面中央部にインジケータ表示部１０２、状態表示部１０３、メッセージ表示部１０４、ボタン表示部１０５、時計表示部１０６を備え、正面上部に状態表示ＬＥＤ１０１、正面下部に正面ファンクションキー１０８、電源キー１０９、カーソル移動キー１１０、テンキー１１１、ＯＫキー１１２、クリアキー１１３、アスタリスクキー１１４を備え、左側面にファンクションキー１０７が設けられている。図示例は、実使用における個人情報を状態表示部１０３とメッセージ表示部１０４の間に表示させた例を示しており、これらの表示部は、液晶表示装置ＬＣＤ(図示せず)により構成されるため、表示位置、表示の大きさ、表示内容等を変更することが可能である。後述する各種画面例では、この表示部に各種の操作情報を表示する例が示されている。なお、各種画面例において、例えば、インジケータ表示部１０２、状態表示部（ゲート名，入退場(点灯表示により入場、退場のいずれかを表示)，カード種別(社員証，通門証など)，オペレータ名）１０３、メッセージ表示部１０４、ボタン表示部(各種画面によりその内容は異なる)１０５、時計表示部１０６などは表示位置がほぼ固定されている。これについては後述する各種画面例で再説する。また、後述する各種画面例では、状態表示ＬＥＤ１０１や、正面ファンクションキー１０８を初めとする各種キーについては図示省略されている。
【００２３】
図３は、本発明の実施形態に係るカードリーダ無線端末における画面遷移の様子を説明する図である。図３において、無線端末は、電源オンで起動され、ログイン画面１２０に遷移する。図４は、ログイン画面においてオペレータの操作によって表示されるメニュー画面例を示すものである。図３のログイン画面１２０において、オペレータ（図示せず）が、自身が所持する非接触ＩＣカード（図示せず）を無線端末の背面（図示せず）に設けられた非接触ＩＣカードリーダ（図示せず）にタッチ又は近づけることで、ログイン要求を行なう。ログイン要求では、上述したようにログインしたオペレータが権限のある無線端末のオペレータであるか否かをＩＣカード（図示せず）から読み取ったＩＣカード識別情報を基に認証する。そして認証結果をログイン結果として返送する。ログインしたオペレータが権限のある無線端末のオペレータであれば、画面がメニュー画面１３０に遷移する。
【００２４】
図４に示すメニュー画面１３０でオペレータがなすべき操作として、まず環境設定およびゲート選択を実行する。すなわち、図４に示すメニュー画面上の設定ボタン１３１を押すことにより、環境設定画面（図示せず）に遷移する。環境設定画面においては、バックライトの輝度、ブザー音量、入退場画面での詳細表示あり・なしを設定する。また設定エラーの際に、エラーメッセージを表示する。環境設定画面における設定が終了した場合には、環境設定画面における設定ボタン（図示せず）を押すことによりメニュー画面１３０に戻る。
【００２５】
次いで、ゲート選択を実行する。ゲート選択は、図４に示すメニュー画面１３０上におけるゲート選択ボタン１３２を押すことによりゲート選択画面（図示せず）に遷移する。ゲート選択画面においては、入退場の対象ゲート、正門や裏門など、を選択する。この選択はゲート選択画面表示時に、選択可能なゲート名が表示されておりそれに付属するラジオボタン（図示せず）をクリックすることでゲート選択を行なうことができる。ゲート選択画面における設定が終了した場合には、ゲート選択画面における設定ボタン（図示せず）を押すことによりメニュー画面１３０に戻る。
【００２６】
オペレータが図４に示すメニュー画面１３０で環境設定およびゲート選択を実行することにより、無線端末を使用した実際の業務に従事することが可能となる。すなわち、実際の業務の例としては、図３及び図４に、入退場、照会、検索の三つが示されている。これらは図４に示す入退場ボタン１３３、照会ボタン１３４、検索ボタン１３５を押すことによりそれぞれの画面に遷移し、各画面において各業務が実行される。
【００２７】
図５は、本発明の実施形態に係る入退場（詳細表示なし）の処理概要を説明するシーケンスブロック図である。図５は、上述した図４における環境設定により予め入退場画面において詳細表示なしが選択された後に、入退場ボタン１３３が押された場合における処理である。すなわち、車両を入構又は出構させるために運転者や同乗者等が所持する非接触ＩＣカード（図示せず）をオペレータが所持する無線端末１０の背面（図示せず）に設けられた非接触ＩＣカードリーダ（図示せず）にタッチ又は近づけると、無線端末１０はＩＣカード（図示せず）を読み込み、コントローラ５０を含むシリアルＩ／Ｆ６０に対して、入退場要求（入門又は出門要求）を送信する。この操作は、上述した固定カードリーダ６３で入退場者が所持する非接触ＩＣカードのカード認証を行なうケースと同じインタフェースにしてカード認証の一元化して行なうためである。コントローラ５０を含むシリアルＩ／Ｆ６０では、コントローラ５０内の入退場ＤＢレプリカ５１を参照してカード認証を行ない、カード認証結果、すなわち入退場結果（ＯＫ／ＮＧ）を無線端末１０に直ちに返送する。無線端末１０では入退場結果（ＯＫ／ＮＧ）を表示する。カード認証ＯＫなら直ちに電気錠６４を開錠する。ＮＧならＩＣカード使用による入退場を断る。そしてコントローラ５０を含むシリアルＩ／Ｆ６０は、コントローラ５０内の入退場ＤＢレプリカ５１に、入出門結果を入退場履歴として上述のＩＣカード識別情報に紐付けて格納する。
【００２８】
図６は、本発明の実施形態に係る入退場（詳細表示あり）の処理概要を説明するシーケンスブロック図である。図６は、図４におけるメニュー画面１３０で環境設定により予め入退場画面において詳細表示ありを選択した後に、入退場ボタン１３３が押された場合における処理である。すなわち、車両を入構又は出構させたい運転者や同乗者等が所持する非接触ＩＣカードをオペレータが所持する無線端末１０の背面に設けられた非接触ＩＣカードリーダにタッチ又は近づけると、無線端末１０はＩＣカード（図示せず）を読み込み、無線ＬＡＮ-ＡＰ２０、ＬＡＮ４０を経由して入退管理サーバ３０の入退場ＤＢ３２に無線端末１０が読み込んだＩＣカード識別情報を基に個人情報の照会を行なう。入退場ＤＢ３２における個人情報に関するデータ構造は、図１２（ｂ）に示されるように、ユーザＩＤ、ＩＣカード識別情報、氏名、・・、写真ファイル名などによって構成される。この照会によりＩＣカード識別情報に対応する個人情報があるか否かの結果を入退管理サーバ３０に戻す。そして入退管理サーバ３０は、シリアルＩ／Ｆ６０に入退場要求を送信する。つまり、無線端末１０から、無線ＬＡＮ-ＡＰ２０、ＬＡＮ／シリアルコンバータ６１、シリアル／ＬＯＮコンバータ６２、固定据付型ＩＣカードリーダ６３経由でコントローラ５０に固定カードリーダ６３に対するのと同じプロトコルでもって当該非接触ＩＣカード（図示せず）についての入退場要求を差し向けるようにする。コントローラ５０は、入退場ＤＢレプリカ５１を参照してカード認証を行ない、カード認証結果を、シリアルＩ／Ｆ６０から入退管理サーバ３０に戻す。コントローラ５０を含むシリアルＩ／Ｆ６０は、コントローラ５０内の入退場ＤＢレプリカ５１に、入出門結果を入退場履歴として上述のＩＣカード識別情報に紐付けて格納する。入退場ＤＢ３２における入退場履歴情報に関するデータ構造は、図１２（ｃ）に示されるように、日時、ＩＣカード識別情報、ゲート名、入場(結果)、退場(結果)などによって構成される。そしてカード認証ＯＫであれば、入退管理サーバ３０は、個人情報データとして展開されている写真ファイル名を元に検索を行ない、無線端末１０の個人情報表示欄に表示する顔写真データ（小）（図２参照）を取得する。
【００２９】
ここで、もし無線端末１０の個人情報表示欄に表示する顔写真データ（小）が存在しないときは、登録写真ファイル３５にファイリングされている情報から写真ファイル（小）を生成して、生成した写真ファイル（小）から上述した無線端末１０の個人情報表示欄に表示する顔写真データ（小）を取得するよう構成する。
【００３０】
入退管理サーバ３０は、上述のようにして得た入退場結果を無線端末１０にカード情報（社員ＩＤ，氏名，所属，会社名など）、および、顔写真(小)として通知して表示させる。
【００３１】
図７は、図６に示した入退場（詳細表示あり）処理時のカードリーダ無線端末における画面例を示す図である。図７は、図４におけるメニュー画面１３０で環境設定により予め入退場画面において詳細表示ありを選択した場合に、メニュー画面１３０の入退場ボタン１３３を押下することにより遷移するものである。図７のボタン表示部１４１には、メニューボタン、入場→退場ボタンの外に、「詳細表示」ボタン１４４が示されている。図７において、入退場を行なう場合には、「入退場」ボタン１４２をクリックすることで、図９に示される入退場指示画面２００に遷移することができる。これについては後述する。そして「入退場」ボタン１４２が使用可能な場合には、「入退場」ボタン１４２を囲む枠１４３を緑色で表示し、枠１４３の下に“カードをタッチしてください”のメッセージを表示する。一方、「入退場」ボタン１４２が使用不可能な場合には、「入退場」ボタン１４２を囲む枠１４３を赤色で表示し、枠１４３の下に“カードリーダは停止しています”（図示せず）のメッセージを表示する。
【００３２】
「入退場」ボタン１４２が使用可能な場合に、社員証または通門証を無線端末１０の背面（図示せず）に設けられた非接触カードリーダ（図示せず）にタッチ又は近づけることで入退場要求を行なう。ＩＣカードの読み取りが成功したら、”カードを読み取りました”（図示せず）と表示させることができる。そして上述したように、無線ＬＡＮ-ＡＰ２０、ＬＡＮ４０を経由して入退管理サーバ３０の入退場ＤＢ３２に読み込んだＩＣカード識別情報を基に個人情報の照会を行なう。この照会によりＩＣカード識別情報に対応する個人情報があるか否かの結果を入退管理サーバ３０に戻す。そして入退管理サーバ３０は、コントローラ５０を含むシリアルＩ／Ｆ６０に入退場要求を送信する。コントローラ５０は、入退場ＤＢレプリカ５１を参照してカード認証を行ない、カード認証結果、すなわち入退場結果（ＯＫ／ＮＧ）を、シリアルＩ／Ｆ６０から入退管理サーバ３０に戻す。カード認証ＯＫであれば、入退管理サーバ３０は、テーブル展開されている個人情報の写真ファイル名を元に検索を行ない、無線端末１０の個人情報表示域に表示する顔写真データ（小）（図２参照）を取得する。入退管理サーバ３０は、上述のようにして得た入退場結果を無線端末１０にカード情報（ユーザＩＤ，氏名，所属，会社名など）、および、顔写真(小)として通知して表示させる（図３の個人情報表示画面１５０参照）。
【００３３】
無線端末１０の画面に上述したカード情報および顔写真(小)を表示させると、図２に示したような個人情報表示が可能になる。図２の画面において、ボタン表示部１０５の「写真表示」を押せば、拡大写真を表示させる（図３の拡大写真表示画面１６０参照）ことができる。これについては後述する。
【００３４】
図７に示したボタン表示部１４１のメニューボタンを押すと「メニュー」画面１３０を表示し、ボタン表示部１４１の入退場切替ボタンは、入場モードのとき「入場→退場」表示を行ない、押下にて退場モードに切り替える。退場モードのとき「退場→入場」表示を行ない、押下にて入場モードに切り替える。「確認⇔連続モード切替」ボタン１４５が図示のように「確認モード」であるときには、写真を含む個人情報を１件毎確認して入退場確認が行なえるようになり、また「連続モード」であるときには、個人情報の取得を止め、カードタッチが連続して可能になり、カード認証結果ＮＧのみが通知されるようにして入退場確認の迅速化を図ることができる。
【００３５】
図８は、本発明の実施形態に係る拡大写真表示処理の概要を説明するシーケンスブロック図である。図８は、図２に示すような個人情報表示画面において、ボタン表示部１０５の「写真表示」ボタンを押すことで写真(小)が付加された個人情報表示画面から拡大写真表示画面に遷移するものである。これを詳しく説明すると、図８において、無線端末１０の表示画面において、ボタン表示部１０５の「写真表示」ボタンを押すと、拡大写真取得要求が入退管理サーバ３０になされ、入退管理サーバ３０は写真ファイル３３に該当する拡大写真がファイルされているかを検索し、ファイルされていれば該当拡大写真を取得し、これを所定のサイズに変換して無線端末１０に返信する。無線端末１０はこれを受け取って拡大写真を画面表示する。一方、入退管理サーバ３０に該当する拡大写真が写真ファイル３３にファイルされていなければ、登録写真ファイル３５から該当する拡大写真ファイルを生成する。そして生成された該当拡大写真を取得して上記したと同様に所定のサイズに変換して無線端末１０に返信する。無線端末１０はこれを受け取って拡大写真を画面表示する。拡大写真表示画面から元の個人情報表示画面の戻るには、ボタン表示部１０５の「確認」ボタンを押す。なお、拡大写真表示は、図３に示すように入退場、照会、検索における個人情報表示画面から遷移して表示させることができる。上述の説明では、個人情報表示画面１５０から拡大写真表示画面１６０に遷移するケースを説明したが、他のケースでも同様であるためその説明を省略する。
【００３６】
図９は、本発明の実施形態に係る入退場指示画面例を示す図である。図９は、図７に示した個人情報表示画面において、「入退場」ボタン１４２を押すことで画面遷移するものである。図９に示す入退場指示画面２００では、図７に示した個人情報表示画面に表示している社員または通門者の入退場を行なわせる。図９において、「入場」ボタン２１０は、無線端末１０から入退管理サーバ３０に入場要求を行ない、その後、本画面を閉じる。また「退場」ボタン２２０は、無線端末１０から入退管理サーバ３０に退場要求を行ない、その後、本画面を閉じる。「閉じる」ボタン２３０は、入退場を行なわずに、本画面を閉じさせるために使用する。「対象ゲート表示」ラベル２４０は、入退場の対象ゲートを表示するものである。
【００３７】
図１０は、図３に示した検索処理時のカードリーダ無線端末における画面例を示す図である。図１０に示す検索画面１７０は、図４におけるメニュー画面１３０で検索ボタン１３５を押下することにより遷移するものである。そして図１０に示す検索画面１７０では、個人ＩＤ、氏名カナを入力して、個人情報の検索を行なう。図１０のボタン表示部１７１には、メニューボタン、検索ボタン、表示ボタンが示されている。ボタン表示部１７１のメニューボタンを押すと、「メニュー」画面を表示する。「個人ＩＤ」入力ボックス１７２に「個人ＩＤ」が入力されている場合に、または、「氏名カナ」入力ボックス１７３に「氏名カナ」が入力されている場合に、ボタン表示部１７１の検索ボタンを押すと、検索要求が入退管理サーバ３０に出されて検索が実行される。検索結果の一覧を「検索結果一覧」表示部１７４に表示し、該当件数をメッセージ表示部１７５に表示する。検索結果の一覧には、行番号、個人ＩＤ、氏名（漢字）、氏名（カナ）を表示する。前方一致でヒットした結果件数が多すぎて表示部１７４に表示できない場合は、“該当件数が多すぎます”（図示せず）というメッセージを表示する。ボタン表示部１７１の表示ボタンは、表示部１７４の検索結果一覧の中で選択した個人情報を「個人情報表示」画面１８０に表示する。「個人情報表示」画面１８０からの拡大写真表示画面または入退場指示画面への遷移は上述したのと同様であるので、ここでの説明は割愛する。なお、図１０に示す検索画面１７０では、カードリーダ使用可否表示１７６を不可にする。
【００３８】
図１１は、本発明の実施形態に係る強制入退場処理の概要を説明するシーケンスブロック図である。図１１は、図３や図４に示す、入退場、照会、検索における無線端末１０の個人情報表示画面において、強制的に入退場させるために入退場ボタンを押して強制入退場要求を入退管理サーバ３０に処理させるものである。入退管理サーバ３０は強制入退場要求を受けると、入退場要求をコントローラ５０を含むシリアルＩ／Ｆ６０に送信する。コントローラ５０は、強制入退場を受け入れるために入退場ＤＢ５１に強制入退場に係る入退場履歴情報を生成してそれを格納する。そしてコントローラ５０を含むシリアルＩ／Ｆ６０から強制入退場に係る入退場承認／不承認（ＯＫ／ＮＧ）を入退管理サーバ３０に返信する。入退管理サーバ３０は、強制入退場結果を無線端末１０に返信し、無線端末１０は強制入退場結果を画面に表示する。
【符号の説明】
【００３９】
１０〜１３  カードリーダ無線端末
２０〜２２  無線ＬＡＮ−ＡＰ(Access Point)
３０  入退管理サーバ
３１  無線端末認証サービスＤＢ(Database)
３２  入退場ＤＢ
３３  写真ファイル
３５  登録写真ファイル
４０  ＬＡＮ(Local Area Network)
５０  コントローラ
５１  入退場ＤＢ(レプリカ)
６０  シリアルＩ／Ｆ(interface)
６１  ＬＡＮ／シリアルコンバータ
６２  シリアル／ＬＯＮコンバータ
６３  カードリーダ(据付型)
６４  電気錠
１０１  状態表示ＬＥＤ
１０２  インジケータ表示部
１０３  状態表示部
１０４  メッセージ表示部
１０５  ボタン表示部
１０６  時計表示部
１０７  左側面ファンクションキー
１０８  正面ファンクションキー
１０９  電源キー
１１０  カーソル移動キー
１１１  テンキー
１１２  ＯＫキー
１１３  クリアキー
１１４  アスタリスクキー
１２０  ログイン画面
１３０  メニュー画面
１３１  設定ボタン
１３２  ゲート選択ボタン
１３３  入退場ボタン
１３４  照会ボタン
１３５  検索ボタン
１４０  入退場画面
１４１  ボタン表示部
１４２  「入退場」ボタン
１４３  枠
１４４  「詳細表示」ボタン
１４５  「確認⇔連続モード切替」ボタン
１５０  個人情報表示画面
１６０  拡大写真表示画面
１７０  検索画面
１７１  ボタン表示部
１７２  「個人ＩＤ」入力ボックス
１７３  「氏名カナ」入力ボックス
１７４  「検索結果一覧」表示部
１７５  メッセージ表示部
１８０  個人情報表示画面
２００  入退場指示画面
２１０  入場ボタン
２２０  退場ボタン
２３０  「閉じる」ボタン
２４０  「対象ゲート表示」ラベル
【図５】
2010163798.tif 000003
【図６】
2010163798.tif 000004
【図１１】
2010163798.tif 000005
【図１２】
2010163798.tif 000006
【図１】
2010163798.tif 000007
【図２】
2010163798.tif 000008
【図３】
2010163798.tif 000009
【図４】
2010163798.tif 000010
【図７】
2010163798.tif 000011
【図８】
2010163798.tif 000012
【図９】
2010163798.tif 000013
【図１０】
2010163798.tif 000014